(57)【要約】【課題】  支援者側の専門的知見を高い自由度で受講者が修得可能とすると共に、修得後の理解度に基づいて管理者が受講者を管理可能とした教育サポートシステムを提供する。【解決手段】  支援者側システム２とユーザー側システム３とこれらを接続するインターネット２０とからなり、支援者側システム２は学習教材４と理解度チェック５の問題とを提供すると共にチェック問題５の成績評価７をレポート８し、ユーザー側システム３は学習教材４とチェック問題５の提供を受けると共にチェック問題５に対する解答を送信する受講者９の利用する機能である学習１１、理解度チェック１２と支援者側システム２から成績評価７のレポート８を受ける管理者１０の利用する機能である成績管理１５とを有する教育サポートシステム１とする。【選択図】  図１
2005078468.tif 000002
【特許請求の範囲】
【請求項１】
学習教材と学習後の理解度をチェックする問題とを提供すると共に、前記チェック問題の成績評価をレポートする支援者側システムと、
前記支援者側システムとネットワークにより接続され、前記学習教材と前記チェック問題の提供を受けると共に前記チェック問題に対する解答を送信する受講者の利用する機能と前記支援者側システムから前記成績評価のレポートを受ける管理者の利用する機能とを有するユーザー側システムとを有することを特徴する教育サポートシステム。
【請求項２】
請求項１に記載する教育サポートシステムにおいて、
前記受講者の利用する機能には、前記学習教材又は前記チェック問題に関する質問又は要望を送信する機能が含まれると共に、前記支援者側システムには、前記質問又は要望を受信し回答する機能が含まれることを特徴とする教育サポートシステム。
【請求項３】
請求項２に記載する教育サポートシステムにおいて、
前記支援者側システムには、前記受講者の質問又は要望を前記管理者にレポートする機能が含まれることを特徴とする教育サポートシステム。
【請求項４】
請求項２又は３に記載する教育サポートシステムにおいて、
前記質問又は要望及び回答の送受信は、電子メールシステム又はＢＢＳシステムによることを特徴とする教育サポートシステム。
【請求項５】
請求項１ないし４のいずれかに記載する教育サポートシステムにおいて、前記管理者の利用する機能には、前記学習教材又は前記チェック問題を作成又は修正する機能が含まれることを特徴とする教育サポートシステム。
【請求項６】
請求項１ないし５のいずれかに記載する教育サポートシステムにおいて、前記支援者側システムは、前記受講者をＩＤ記号により認識することを特徴とする教育サポートシステム。
【請求項７】
請求項１ないし６のいずれかに記載する教育サポートシステムにおいて、前記受講者が前記学習教材又は前記チェック問題の提供を受ける際に、前記管理者から発行されたＩＤ記号及びパスワードを必要とすることを特徴とする教育サポートシステム。
【請求項８】
請求項１ないし７のいずれかに記載する教育サポートシステムにおいて、
前記支援者側システムを使用する者は、製品製造メーカーであり、
前記ユーザー側システムを使用する者は、当該製造品を購入して使用する会社であることを特徴とする教育サポートシステム。
【請求項９】
請求項１ないし７のいずれかに記載する教育サポートシステムにおいて、
前記支援者側システムを使用する者は、発電機の製造会社であり、
前記ユーザー側システムを使用する者は、当該発電機を購入して使用する電力会社であることを特徴とする教育サポートシステム。
【発明の詳細な説明】
【技術分野】
【０００１】
本発明は、教育支援者サイドに蓄積された知見をネットワークを介して、いつでも、どこでも、主体的にユーザーサイドの受講者が修得可能として、当該知見を有効活用すると共に、修得後の理解度に基づいてユーザーサイドの管理者が受講者をバックアップ・管理することができるようにした教育サポートシステムに関する。
【背景技術】
【０００２】
従来、学校や企業などでは、所定の時刻に受講者を一個所に集め、集中的に教育を行う集合教育が行われていた。この場合、受講者の仕事上の都合（時間的制約）、場所の都合又は人数制限上の制約で、受講ができない場合が発生している。また、講義のたびに講師の人件費が発生する。さらに、受講者のレベルもまちまちであり、講義について行けない者や講義の内容をすでに十分に学習済みの者が混在しているため、効率的な教育進行ができないという不都合があった。
【０００３】
一方、通信教育の場合、仕事上の都合、地理的制約、人数制限上の制約及び希望の受講テーマを受講することができないという問題は解消されるが、教育機関から学習教材が一方的に送られてくるだけであり、受講者のペース・理解度に合わせた主体的取組みができない、質問したい時に質問することができない、疑問に対して即座に回答を得ることができないといった問題が生じる。このため、受講者の学習意欲が削がれてしまい、長続きしないケースが多い。
【０００４】
さらに、受講後のテスト等による理解度の評価結果は、受講者自身の管理及び受講者と束縛的な関係にない教育機関の管理に委ねられており、受講者のマインドコントロールという面から見て、不十分なものであり、積極的な学習意欲をそぐという結果になっていた。
【０００５】
また、学習教材は、教育機関を含めた教材作成の専門業者に委ねられることが多く、学習内容のレベルとして一般的知識のレベルに留まることが多かった。すなわち、例えば、工場等における機器運転ノウハウ、製品製造ノウハウ及びメーカーサイドが独自に有し製品購入者であるユーザーサイドにのみバックアップするような製品に関する知見等の極めて専門的な学習に対応することができなかった。
【０００６】
さらに、ユーザーサイドには、購入製品を使用していくうちに修得した機器運転ノウハウやメンテナンスに関するノウハウ等の貴重かつ速効的な知見が内在していることが多い。このため、教育支援者サイドからのみの作成教材では、教材内容の掘り起しが不十分となることがあった。
【０００７】
【特許文献１】特開平１０−２７４９１９号公報
【特許文献２】特開２００３−５８６４３号公報
【特許文献３】特開２００２−３５１２９９号公報
【発明の開示】
【発明が解決しようとする課題】
【０００８】
本発明は、上記状況に鑑みてなされたもので、教育支援者サイドに蓄積された知見をネットワークを介して、いつでも、どこでも、主体的にユーザーサイドの受講者が修得可能として、当該知見を有効活用すると共に、修得後の理解度に基づいてユーザーサイドの管理者が受講者をバックアップ・管理することができるようにした教育サポートシステムを提供することを目的とする。
【課題を解決するための手段】
【０００９】
本発明による教育サポートシステムの概要は、教育に必要な学習教材をネットワーク上の支援者側のサーバコンピュータ内に設置し、不特定多数のユーザー側受講者がいつでも、どこでもユーザー側に設置してあるローカルコンピュータにより、ネットワークを介して学習教材をローカルコンピュータより取得し、学習すると共に、受講後の理解度を確認する問題に対して、その解答をサーバコンピュータに返信し、サーバコンピュータ内で成績を整理・評価しユーザー側管理者に送信し、成績管理（進捗管理、分析・統計）することを特徴とする知教育サポートシステムである。
【００１０】
上記課題を解決する第１の発明は、
学習教材と学習後の理解度をチェックする問題とを提供すると共に、前記チェック問題の成績評価をレポートする支援者側システムと、
前記支援者側システムとネットワークにより接続され、前記学習教材と前記チェック問題の提供を受けると共に前記チェック問題に対する解答を送信する受講者の利用する機能と前記支援者側システムから前記成績評価のレポートを受ける管理者の利用する機能とを有するユーザー側システムとを有することを特徴する教育サポートシステムである。
【００１１】
成績評価のレポートは、ユーザー側管理者が受信する。これにより、学習後の理解度に基づいてユーザーサイドの管理者が受講者をマインドコントロールという面から管理・フォローして、積極的な学習意欲を維持させる。なお、受講者も成績評価のレポートを受信可能としても良い。自己管理を推奨するためである。
【００１２】
上記課題を解決する第２の発明は、
第１の発明に係る教育サポートシステムにおいて、
前記受講者の利用する機能には、前記学習教材又は前記チェック問題に関する質問又は要望を送信する機能が含まれると共に、前記支援者側システムには、前記質問又は要望を受信し回答する機能が含まれることを特徴とする教育サポートシステムである。
【００１３】
これにより、受講者が、質問したい時に質問することができない、疑問に対して即座に回答を得ることができないといった問題を解決する。受講者の質問のみならず、要望をも回収することにより受講者を含めユーザー側の満足度を高める。この結果、受講者の学習意欲が維持し、受講を長続きさせることができる。
【００１４】
上記課題を解決する第３の発明は、
第２の発明に係る教育サポートシステムにおいて、
前記支援者側システムには、前記受講者の質問又は要望を前記管理者にレポートする機能が含まれることを特徴とする教育サポートシステムである。
【００１５】
上記課題を解決する第４の発明は、
第２又は第３の発明に係る教育サポートシステムにおいて、
前記質問又は要望及び回答の送受信は、電子メールシステム又はＢＢＳシステムによることを特徴とする教育サポートシステムである。
【００１６】
上記課題を解決する第５の発明は、
第１ないし第４のいずれかの発明に係る教育サポートシステムにおいて、
前記管理者の利用する機能には、前記学習教材又は前記チェック問題を作成又は修正する機能が含まれることを特徴とする教育サポートシステムである。
【００１７】
これにより、購入製品を使用していくうちに修得するような、機器運転ノウハウやメンテナンスに関するノウハウ等のユーザーサイドの貴重かつ速効的な知見を教材内容とすることができ、効果的な教育サポートシステムを構築する。
【００１８】
上記課題を解決する第６の発明は、
第１ないし第５のいずれかの発明に係る教育サポートシステムにおいて、
前記支援者側システムは、前記受講者をＩＤ記号により認識することを特徴とする教育サポートシステムである。
【００１９】
これにより、受講者の受講成績等のプライベートな個人情報を保護する。
【００２０】
上記課題を解決する第７の発明は、
第１ないし第６のいずれかの発明に係る教育サポートシステムにおいて、
前記受講者が前記学習教材又は前記チェック問題の提供を受ける際に、前記管理者から発行されたＩＤ記号及びパスワードを必要とすることを特徴とする教育サポートシステムである。
【００２１】
ユーザーＩＤ及びパスワードによるログイン認証を行うシステムを用いることにより、学習教材をインターネット等のネットワーク上に掲載するにあたって、重要なノウハウを含む学習教材を第三者により不正に入手されないようにする。また、管理者が受講者の受講をコントロールできるようにする。
【００２２】
上記課題を解決する第８の発明は、
第１ないし第７のいずれかの発明に係る教育サポートシステムにおいて、
前記支援者側システムを使用する者は、製品製造メーカーであり、
前記ユーザー側システムを使用する者は、当該製造品を購入して使用する会社であることを特徴とする教育サポートシステムである。
【００２３】
これにより、例えば、工場等における機器運転ノウハウ、製品製造ノウハウ及びメーカーサイドが独自に有し製品購入者であるユーザーサイドにのみバックアップするような製品に関する知見等の極めて専門的な学習に対応する。
【００２４】
上記課題を解決する第９の発明は、
第１ないし第７のいずれかの発明に係る教育サポートシステムにおいて、
前記支援者側システムを使用する者は、発電機の製造会社であり、
前記ユーザー側システムを使用する者は、当該発電機を購入して使用する電力会社であることを特徴とする教育サポートシステムである。
【発明の効果】
【００２５】
本発明によれば、教育支援者サイドに蓄積された知見をネットワークを介して、いつでも、どこでも、主体的にユーザーサイドの受講者が修得可能として、当該知見を有効活用することができる。
【００２６】
また、修得後の理解度に基づいてユーザーサイドの管理者が受講者をバックアップ・管理することができるようになる。この結果、受講者をマインドコントロールという面から管理・フォローすることが可能となり、積極的な学習意欲を維持させることが可能となる。
【００２７】
また、例えば、工場等における機器運転ノウハウ、製品製造ノウハウ及びメーカーサイドが独自に有し製品購入者であるユーザーサイドにのみバックアップするような製品に関する知見等の極めて専門的な学習に対応することが可能となる。
【００２８】
さらに、購入製品を使用していくうちに修得するような、機器運転ノウハウやメンテナンスに関するノウハウ等のユーザーサイドの貴重かつ速効的な知見を教材内容とすることができ、効果的な教育サポートシステムを構築することができる。
【発明を実施するための最良の形態】
【００２９】
以下、本発明の実施形態を図面に基づいて例示的に説明する。図１は、本発明の実施形態に係る教育サポートシステムの全体構成図である。
【００３０】
同図に示すように、教育サポートシステム１は、支援者側システム２と、ユーザー側システム３と、支援者側システム２とユーザー側システム３とを結ぶインターネット２０等のネットワーク環境とから構成される。
【００３１】
支援者側システム２は、教育環境を支援する側が使用するシステムである。教育環境を支援する側とは、例えば、ガスタービン等の発電機を製造し電力会社等へ納品する製造会社である。一方、ユーザー側システム３は、教育環境を提供してもらう側が使用するシステムである。教育環境を提供してもらう側とは、例えば、ガスタービン等の発電機を製造するメーカーサイドから製造製品を購入する電力会社である。
【００３２】
したがって、支援者側（メーカーサイド）がユーザー側へ提供する教育内容としては、例えば、発電機等の製造製品に関する運転上のノウハウや支援者側が独自に有し製品購入者であるユーザー側にのみバックアップするような製品に関する極めて専門的な知見等が考えられる。
【００３３】
また、ユーザー側システム３は、受講者９が利用可能なシステムと、管理者１０が利用可能なシステムとに分かれる。受講者９は、例えば、ユーザー側が支援者側から購入した発電機等の製造製品を用いて、研究・開発や機器運転を行う者であり、当該製品に関する知見を直接的に必要とする者である。
【００３４】
一方、管理者１０は、例えば、受講者９を業務推進の面から教育する者であり、教育結果によっては受講者９に対して更なる教育を指示したり、受講者９の能力に合わせて適任な部署への配置転換を指示したりする者である。したがって、ユーザー側の管理者１０と受講者９との間には、一定の命令をする者と、この命令を受けて従う者という関係がある。
【００３５】
支援者側システム２は、主としてサーバコンピュータから構成され、当該サーバコンピュータには、ユーザー側に提供する学習教材４と、受講者９の受講内容の理解度をチェックする理解度チェック５と、受講者９からの受講内容に関する質問の受付及び回答の送信をするＱ＆Ａ窓口６と、理解度チェック５の結果及びＱ＆Ａ窓口６が受付けた質問内容を整理する受講成績・履歴７と、当該受講成績・履歴７を管理者１０にレポートするレポーティング機能８とが設けられている。
【００３６】
受講者９は、ユーザー側システム３における学習１１と理解度チェック１２とＱ＆Ａ１３の機能を利用することができる。
【００３７】
学習１１の機能を利用することにより、インターネット２０を介して、支援者側システム２に格納された学習教材４をＷｅｂ参照１７して、学習講座を受けることができる。また、理解度チェック１２の機能を利用することにより、支援者側システム２に格納された理解度チェック５の問題を解き、受講により修得した知見を確認することができる。さらに、Ｑ＆Ａ１３の機能を利用することにより、支援者側システム２に設けられたＱ＆Ａ窓口６に対して、受講中または受講後に生じた疑問点等を電子メール１８等により質問すると共に、当該質問に対する回答を得ることができる。
【００３８】
管理者１０は、ユーザー側システム３における運用管理１４と成績管理１５と教材作成１６の機能を利用することができる。
【００３９】
運用管理１４の機能を利用することにより、受講者９の教育システム利用に関する全般的な管理を行うことができる。また、成績管理１５の機能を利用することにより、支援者側システム２からレポートされた受講成績・履歴７を管理すると共に、受講成績・履歴７を基礎として受講者９の再教育及び人事評価等を行うことができる。更に、教材作成１６の機能を利用することにより、ユーザー側が独自に有する知見を学習教材又はチェック問題として、支援者側システム２に格納された学習教材４又は理解度チェック５の問題に反映させることができる。
【００４０】
以下、図面に基づいて、上記各機能を詳細に説明する。
【００４１】
＜学習機能＞
図２は、支援者側システム２に格納された学習教材４を表示した画面の一例を示す図である。受講者９は、インターネット２０を介したＷｅｂ参照１７により学習１１の機能を利用し、多数の学習講座が用意された学習教材４の中から受講を希望する学習教材を選択することにより、使用製品に関するより深い知見等を修得することができる。
【００４２】
すなわち、受講者９は、同図（ａ）に示すように「タービンプラント学習教材」に含まれる複数の学習講座の中から、選択ボタン２１により希望する学習講座を選択する。選択ボタン２１の中で、例えば「Ｃ／Ｃ  ＧＴ編［日本語版］」を選択すると、同図（ｂ）に示す画面が表示される。以降、動画と音声による学習ソフトが起動し、「コンバインドサイクルプラント」の学習講座がスタートする。
【００４３】
提供する学習教材としては、同図（ａ）に示す「タービンプラント学習教材」は一例であり、その他、「水力発電プラント」「火力発電プラント」等の様々なジャンルの学習教材を併設することが可能である。特に、支援者側（メーカーサイド）の製造製品に関する独自の運転・製造ノウハウ、メンテナンス情報等を学習教材とすることにより、一般の教育機関では提供が難しい学習講座を提供することが可能となると共に、ユーザー側に対するアフターサービスとしての役割も果たすことができる。
【００４４】
ここで、受講者９が学習１１の機能を利用するに当たって、インターネット２０という便利なネットワーク環境を利用した例を示した。したがって、ネットワーク環境さえ整っていれば、受講者９が最も必要とする学習講座を、時間や場所に拘束されず、受講者９自身のペースで受講することができることになる。
【００４５】
一方、学習教材４をインターネット２０上に掲載するにあたって、重要なノウハウを含む学習教材４を第三者により不正に入手されないようにするため、セキュリティーに配慮すると共に、ユーザーＩＤ及びパスワードによるログイン認証を行うシステムとすることが好ましい。
【００４６】
学習教材４としては、上述するように種々のジャンルのものを用意することができるが、受講者９個人のレベルでは、業務と直接関係ない学習教材４も多い場合がある。このため、管理者１０は、運用管理１４の機能を利用して、予め受講者９から受講の申請を受けることにより受講を許すか否かをコントロールすることができる。受講を許可する場合には、受講の際に必要なユーザーＩＤ及び受講パスワードを受講者９に発行し、受講許否のコントロールに利用すると共に、上記不正入手に対するログイン認証に利用することができる。
【００４７】
＜理解度チェック機能＞
図３及び図４は、支援者側システム２に格納された理解度チェック５を表示した画面の一例を示す図である。図３には理解度チェック５の問題のジャンル選択画面を、図４にはジャンル選択後の問題画面（ａ）及び解答画面（ｂ）を示してある。
【００４８】
受講者９は、インターネット２０を介したＷｅｂ参照１７により理解度チェック１２の機能を利用し、学習教材４に対応する多数の理解度チェックの問題の中から受講した学習講座の問題を選択することにより、学習教材４を受講した後の理解度をチェックすることができる。
【００４９】
すなわち、理解度チェック５から出題ジャンルの一覧表が送信され、図３に示すように、受講者９は学習教材４に対応する多数の理解度チェックの問題である「プラント全般」、「盤設計」、「ＭＯＤ−ＢＵＳ」等のジャンルの中からチェック欄２２1〜２２5にチェックすることにより、受講した学習講座のチェック問題を選択する。
【００５０】
理解度チェック５から送信されるチェック問題の形式としては、例えば、正誤問題、選択問題又は穴埋め問題等の問題形式が考えられる。図４（ａ）には、例示的に正誤問題形式の表示画面を示している。受講者９は、画面に表示された問題に対する解答を解答欄２３にチェックして、出題される全問に解答していく。
【００５１】
受講者９が全問を解答すると、理解度チェック１２の機能により回答データが支援者側システム２に送信され、理解度チェック５により答え合わせが行われた後、受講成績及び受講履歴７として支援者側のシステム２において管理される。更に、結果が、図４（ｂ）に示すように、解答画面として表示される。
【００５２】
同図に示すように、解答欄２４には自己の解答が表示され、これに対して正解２５が表示される。コメント欄２６には、解答に関する簡単なコメントが表示され、採点欄２７には、解答欄２４と正解２５との対比に基づいて採点結果が表示される。
【００５３】
背景欄２８には、問題の解説や出題の背景、関連するマメ知識等が表示される。また、目安としての評点も表示されるようになっている。更に、用語説明の機能、用語の検索画面へのリンク等が表示されていることが好ましく、これらの付加的表示により、更に理解を深めることができるようになっている。
【００５４】
理解度チェック１２の機能としては、自己学習を想定した「勉強モード」と、チェック結果が成績として記録される「テストモード」とが用意されている。これにより、「勉強モード」を選択して、学習１１の機能の延長として理解を深めることができると共に、「テストモード」を選択して、受講後の成績を管理者１０に示し、受講者９自身の評価や教育方針の最適化等に利用してもらうことができる。
【００５５】
理解度チェック１２の機能を利用する際には、上記学習１１の機能の利用と同様に、ユーザーＩＤ及びパスワードを受講者９に発行するシステムとすることが好ましい。これは、チェック問題も学習教材４と同様に重要なノウハウを含むことが多く、不正入手に対するセキュリティーを高める必要があるためと、管理者１０が受講成績を管理する必要があるためである。
【００５６】
なお、受講者９が問題の位置や選択肢の記号等で正解を覚えてしまわないように、実行するごとに問題の出題順と選択肢はランダムに変化するようにしてもよい。また、受講者９全員の今までの回答データを基にして、問題ごとに難易度を認定して表示し、学習の目安となるようにしてもよい。
【００５７】
更に、理解度チェックを何度か行なっていく上で、今までに間違えた問題を受講者９の個人情報として記録しておき、不出来の問題やジャンルを中心にして、次回のチェック問題を選定するようにしてもよい。このサイクルを複数回行うことにより、受講者９の不得意分野の克服を支援することができる。
【００５８】
＜Ｑ＆Ａ機能＞
Ｑ＆Ａ１３の機能とは、学習１１又は理解度チェック１２を利用した際に生じた受講者９側の疑問・質問を電子メール１８等の形で送信し、この送信された疑問・質問に対して電子メール１８等で回答する機能である。
【００５９】
受講者９の疑問・質問を専任の窓口担当者が受付・回答する場合と、回答できないときは、より専門的知識を有する技術担当者がバックアップ・支援し回答する場合がある。Ｑ＆Ａ１３の機能を利用することで、受講者９は疑問・質問に対する回答を即時に得ることが可能である。例えば、Ｑ＆Ａ１３の画面を開くと、電子メール等による通信機能（電子メール用アプリケーションソフトウエア）が起動し、電子メール等の送受信が行える状態になる。
【００６０】
疑問・質問の送信及びこれに対する回答の受信方法として、いわゆるＢＢＳ（Bulletin Board System）と呼ばれている電子掲示板システムを利用するようにしても良い。このＢＢＳシステムを利用すれば、受講者９全体に対する疑問・質問の掲示作業を行うことができ、逆に、他人が掲示した疑問・質問及びこれに対する回答を閲覧することができる。このように、電子掲示板の情報は受講者９の全員がそれぞれの場所から閲覧が可能なため、他の受講者９からの更なる質問、或いは回答などの書き込みを行うことで、相互学習が可能となり、受講者９同士のレベルアップを図ることができる。
【００６１】
Ｑ＆Ａ窓口６に送信された受講者９の疑問・質問は、受講成績・履歴７にて受講者９ごと（又は学習講座ごと等でも良い）に整理され、資料の一部となる。管理者１０は当該資料をより最適な教育環境を構築する参考資料とすることができる。したがって、Ｑ＆Ａ１３の機能においては、学習教材４や理解度チェック５の問題に対する要望等も募集できるようにして、当該要望等に基づいた学習教材４や理解度チェック５の問題を作成するようにしてもよい。
【００６２】
＜レポーティング機能＞
レポーティング機能８は、上述するように、受講者９から得られ、整理された受講成績・履歴７を電子ファイル１９とし、定期的に又は受講があるごとに、管理者１０にレポートする機能である。管理者１０は、当該レポートされた情報を基に、成績管理１５及び教材作成１６、場合によっては運用管理１４（受講のコントロール）を行う。
【００６３】
図５は、レポーティング機能８により送信される受講成績・履歴７を成績管理１５にて処理し、表示した成績表示画面の一例を示す図である。同図に示すように、受講者９が学習１１及び理解度チェック１２を利用する際に管理者１０が発行したユーザーＩＤとこれに対応するユーザー名と共に、受講した学習講座、チェック問題、チェック問題の成績及び実施日等が画面表示されるようになっている。
【００６４】
詳細成績表示３０は、より詳細な成績を表示するためのボタンである。例えば、詳細成績表示３０のボタンを押すことにより、図６に示すように、学習講座、ジャンル（項目３１1〜３１6）別に能力評価グラフとすることなどが考えられる。
【００６５】
管理者１０は、これらの成績管理１５に基づいて、受講者９の再教育及び人事評価等を行うことができる。また、管理者１０と受講者９との間には、一定の命令をする者と、この命令を受けて従う者という関係があるため、受講者９をマインドコントロールという面からもフォローすることが可能となり、積極的な学習意欲を維持させることが可能となる。
【００６６】
なお、受講者９による学習１１、理解度チェック１２及びＱ＆Ａ１３の機能の利用は、ユーザーＩＤによる認識のみで行われ、受講者９の実名を必要とはしない。したがって、レポーティング機能８により送信される電子ファイル情報１９にも受講者９の実名は含まれない。これは、支援者側にとっては、受講者９の受講成績等はプライベートな個人情報であり、また、支援者側はユーザーＩＤによる管理のみでシステムを構築することができるからである。
【００６７】
＜運用管理機能＞
運用管理１４の機能とは、受講者９の教育システム利用に関する全般的な管理を行う機能である。例えば、受講者管理としては、受講者情報の登録、受講者単位の対象学習講座の設定、学習講座の受講率・理解度成績の管理等を行い、学習講座管理としては、学習講座間の関連設定、必須の学習講座の設定、学習講座の受講率の把握等を行い、受講管理としては、受講計画の設定、受講申請・承認管理、未受講者のフォローアップ等を行うことが考えられる。
【００６８】
＜教材作成機能＞
管理者１０は、教材作成１６の機能を利用することにより、ユーザー側が独自に有する知見又は受講者９の受講経験に基づく要望等を、支援者側システム２に格納された学習教材４又は理解度チェック５の問題に反映させることができる。図７は、理解度チェック５の問題を作成する画面の一例を示す図である。
【００６９】
理解度チェック５の問題作成は、Ｗｅｂ画面上の簡単な操作で作成することが可能であり、同図に示すように、ジャンル番号入力欄４１には学習講座のジャンルを番号化したものを入力し、チェック項目入力欄４２には本問題でチェックしたい項目を入力し、問題文入力欄４３にはユーザー側が独自に作成した問題文を入力し、解答欄４４には問題文に対する解答を入力する。
【００７０】
解答欄４４は、問題形式により解答方法が異なるため、選択問題ならば４４1の欄にチェックし、正誤問題ならば４４2の欄にチェックする。欄４４3は選択肢入力欄であり、選択問題に対する正解の選択肢と間違いの選択肢を入力すると共に正解の選択肢にチェック表示をする。また、欄４４5は正誤解答入力欄であり、正誤問題の問題文が正解ならば「正」、間違いならば「誤」にチェック表示をする。
【００７１】
さらに、画像添付欄４４4は、問題の参考となるような写真・アニメ画像を添付するための欄であり、コメント欄４４6は問題文及び解答に関するコメントを入力する欄である。なお、同図には示していないが、穴あき問題を作成する欄も同様にして表示することができる。
【００７２】
背景入力欄４５には、問題の解説や出題の背景、関連するマメ知識等を入力する。また、関連ホームページ入力欄４６には、本問題の参考となるＷｅｂサイトがある場合に、当該Ｗｅｂサイトのページ名称をページ名称欄４６1に、ＵＲＬをＵＲＬ欄４６２に入力する。作成者入力欄４７には本問題の作成者を、作成日入力欄４８には本問題の作成日を入力する。所定の入力を終えた後に、登録ボタン４９を押すことにより、作成した問題を理解度チェック５の問題として登録することができる。
【００７３】
＜その他の機能＞
以上述べた機能のほかに、例えば、ヘルプ機能、ＦＡＱ機能等を備えても良い。ヘルプ機能とは、講座受講、チェック問題解答又はＱ＆Ａ機能利用のための操作説明を閲覧するための機能であり、受講者が、ヘルプボタンをクリックすると、画面に受講のための操作説明が提示されるようになる。具体的には、支援者側システム内にヘルプ用のＷｅｂページを用意しておき、ヘルプボタンがクリックされると、このヘルプ用のＷｅｂページへのリンクが起動されるようにしておけばよい。
【００７４】
また、ＦＡＱ（Frequently Asked Question）機能とは、受講に関する質疑応答例を閲覧するための機能であり、受講者が、ＦＡＱボタンをクリックすると、画面に受講に関する質疑応答例が提示されるようになる。具体的には、支援者側システム内にＦＡＱ情報提示用のＷｅｂページを用意しておき、ＦＡＱボタンがクリックされると、このＦＡＱ情報提示用のＷｅｂページへのリンクが起動されるようにしておけばよい。
【００７５】
以上、本発明に係る実施形態を詳細に説明したが、本発明はこれに限られるものではなく、支援者側システム２を使用する教育環境を支援する側と、ユーザー側システム３を使用する教育環境を提供してもらう側の組み合わせとしては、発電機の製造会社と当該発電機を購入する電力会社との組み合わせの他に、自動車部品メーカーと当該部品を購入する自動車メーカー、分析機器製造メーカーと当該分析機器を購入して研究開発をするメーカー等、広く一般に製造メーカーと当該製造品を購入して使用する会社との組み合わせが考えられる。
【００７６】
また、自動車メーカーと当該自動車を販売するディーラー（販売営業を行う者が自動車に関する知識を習得する教育システム）、戦闘機・戦車等の兵器製造会社と当該兵器を購入する自衛隊・軍等の国家機関（兵器を使用する者が兵器に関する知識を習得する教育システム）等の組み合わせも考えられる。
【００７７】
また、受講者の受講意欲を沸き立たせ、１つの講座が修了した実感を与えるためには、受講修了証等を発行することが有効である。本発明のようなネットワークを用いた教育システムの場合、予め個々の講座ごとにそれぞれ修了条件を設定しておき、支援者側システム又は管理者から、この修了条件を満たした受講者に対して、例えば電子メール等により受講修了証を送信するようにすると効果的である。
【図面の簡単な説明】
【００７８】
【図１】本発明の実施形態に係る教育サポートシステムの全体構成図である。
【図２】支援者側システムに格納された学習教材を表示した画面の一例である。
【図３】理解度チェックの問題のジャンル選択画面の一例を示す図である。
【図４】問題画面（同図（ａ））及び解答画面（同図（ｂ））の一例を示す図である。
【図５】成績表示画面の一例を示す図である。
【図６】成績表示画面の一例を示す図である。
【図７】理解度チェックの問題を作成する画面の一例を示す図である。
【符号の説明】
【００７９】
１  教育サポートシステム
２  支援者側システム
３  ユーザー側システム
４  学習教材
５  理解度チェック
６  Ｑ＆Ａ窓口
７  受講成績・履歴
８  レポーティング機能
９  受講者
１０  管理者
１１  学習
１２  理解度チェック
１３  Ｑ＆Ａ
１４  運用管理
１５  成績管理
１６  教材作成
１７  Ｗｅｂ参照
１８  電子メール・掲示板・ファックス
１９  レポートファイル
２０  インターネット
２１  選択ボタン
２２  チェック欄
２３  解答欄
２４  自己の解答
２５  正解
２６  コメント欄
２７  採点欄
２８  背景欄
３０  詳細成績表示ボタン
３１  評価項目
３２  現状成績
３３  目標成績
４１  ジャンル番号入力欄
４２  チェック項目入力欄
４３  問題文入力欄
４４  解答欄
４４1  選択問題欄
４４2  正誤問題欄
４４3  選択肢入力欄
４４4  画像添付欄
４４5  正誤解答入力欄
４４6  コメント入力欄
４５  背景入力欄
４６  関連ホームページ入力欄
４６1  ページ名称欄
４６2  ＵＲＬ欄
４７  作成者入力欄
４８  作成日入力欄
４９  登録ボタン
【図１】
2005078468.tif 000003
【図２】
2005078468.tif 000004
【図３】
2005078468.tif 000005
【図４】
2005078468.tif 000006
【図５】
2005078468.tif 000007
【図６】
2005078468.tif 000008
【図７】
2005078468.tif 000009